(57)【要約】【課題】電線の端末で露出する導電線が絶縁材料により確実に液密に覆われた状態にあることを容易に認識・確認できるようにして、信頼性の高い簡易な被覆電線の端末処理を提供すること。【解決手段】被覆電線の端部に取り付ける電線端末キャップであって、径の異なる円筒形状の小径部１２と大径部１３が連設されて被覆電線の端部を収納可能な空間を有する有底のキャップ本体１１と、このキャップ本体内に収容されている絶縁性を有する液状のシリコン材料２１と、を備えて、キャップ本体は、被覆電線の外面に当接または近接する内筒面１２ｃ、１３ｃを有する寸法・形状に形成される一方、シリコン材料は、キャップ本体の開口端側から被覆電線の端部を収納したときに漏出する容量を収容されており、そのキャップ本体には、大径部の開口端の一部を延長することによりテープ巻き可能な延長部１４が形成されている。【選択図】図１
2009278715.tif 000002
【特許請求の範囲】
【請求項１】
導電線の外面が絶縁体で覆われている被覆電線の端部に取り付ける電線端末キャップであって、
前記被覆電線の端部を収納可能な空間を有する有底の筒状部材と、前記筒状部材内に収容されている絶縁性を有する液状材料と、を備えて、
前記筒状部材は、前記被覆電線の外面に当接または近接する内面を有する寸法・形状に形成される一方、
前記液状材料は、前記被覆電線の端部を収納したときに前記筒状部材の開口端側から漏出する容量を該筒状部材内に収容されており、
前記筒状部材は、収納した前記被覆電線の端部が引き抜き方向に移動することを制限する係止手段が設けられていることを特徴とする電線端末キャップ。
【請求項２】
前記筒状部材は、前記係止手段として、前記液状材料の漏出箇所よりも底部から離隔する方向に開口側を延長させて、前記被覆電線の外面に固定可能な係止部が形成されていることを特徴とする請求項１に記載の電線端末キャップ。
【請求項３】
前記筒状部材は、底部から離隔する開口端の一部を該離隔方向に延長させることにより、該底部に近接する側が前記液状材料の漏出箇所として機能する一方、該底部から離隔する側が前記係止部として機能することを特徴とする請求項２に記載の電線端末キャップ。
【請求項４】
前記筒状部材は、前記液状材料の漏出箇所として当該筒状部材の筒状側面部に漏出穴が開口することにより、筒状側面部の開口端側が前記係止部として機能することを特徴とする請求項２に記載の電線端末キャップ。
【請求項５】
導電線の外面が絶縁体で覆われている被覆電線の端部に電線端末キャップを取り付ける取付方法であって、
前記被覆電線の端部を収納可能な空間を形成するとともに、該被覆電線の外面に当接または近接する内面を有する有底の筒状部材を準備して、
前記筒状部材内に前記被覆電線の端部を収納したときに該筒状部材の開口端側から漏出する程度以上の容量の絶縁性を有する液状材料を収容し、あるいは、前記液状材料の収容されている前記筒状部材を準備して、
前記筒状部材内に前記被覆電線の端部を差し込んで該筒状部材の開口端側から前記液状材料を漏出させるのと同時に、あるいは、該液状材料の漏出を確認した後に、
前記筒状部材が前記被覆電線の引き抜き方向に移動することを制限することを特徴とする電線端末キャップの取付方法。
【発明の詳細な説明】
【技術分野】
【０００１】
本発明は、電線端末キャップおよびその取付方法に関し、詳しくは、電線の端末における絶縁性を信頼性高く確保することのできるものに関する。
【背景技術】
【０００２】
従来、被覆電線の端部には、キャップを取り付けることによりその端末を保護することが行われており、例えば、単純に、被覆電線の端部を覆うように電線端末キャップを取り付けることにより、架線されている配電線の端部の充電部に烏等が運ぶ針金などが接触して短絡事故を発生させてしまうことを未然に防止している（例えば、特許文献１、２を参照）。
【０００３】
また、その電線端末キャップが単に電線の端部を覆うだけであると、電線の被覆外面との間の隙間から雨水等が浸入することにより、配電線端部の充電部における絶縁性の低下や、保管時における材質の劣化などを引き起こす要因になることから、そのキャップ内で導電線の露出する電線の先端面をシール材や接着剤内に埋没させて気密性を確保することが提案されている（例えば、特許文献３、４を参照）。
【特許文献１】特開平９−１０７６１３号公報
【特許文献２】特開２００７−３３５１３３号公報
【特許文献３】特開平９−９４７７号公報
【特許文献４】特開２００３−３３３７３９号公報
【発明の開示】
【発明が解決しようとする課題】
【０００４】
しかしながら、このような従来の電線端末キャップにあっては、単純に電線の端部にキャップを被せるだけでは、キャップ内面と電線被覆外面の間に雨水などが浸入することを防止することはできず、このために、そのキャップ内に電線の先端を埋没させるシール材などを充填するにしても、そのシール材などの充填を失念してしまったり、電線の先端面の全面にシール材が密着する状態になっていない状況にあってもそれを確認することができない、という問題があった。
【０００５】
特に、近年の配電線の地中化に伴って、この電線端末の絶縁処理の必要性が高まっている。例えば、配電経路を変更する際にマンホール内で低圧電線を切断することが行われており、その電線の端部は水没する可能性のある環境内に放置される場合もあり、その過酷な環境にも耐え得るように電線端部の絶縁化処理を十分に施す必要がある。
【０００６】
そこで、本発明は、電線の端末で露出する導電線が絶縁材料により確実に液密以上に覆われた状態にあることを容易に認識・確認できるようにして、信頼性の高い簡易な被覆電線の端末処理を提供することを目的とする。
【課題を解決するための手段】
【０００７】
上記課題を解決する電線端末キャップの第１の発明は、導電線の外面が絶縁体で覆われている被覆電線の端部に取り付ける電線端末キャップであって、前記被覆電線の端部を収納可能な空間を有する有底の筒状部材と、前記筒状部材内に収容されている絶縁性を有する液状材料と、を備えて、前記筒状部材は、前記被覆電線の外面に当接または近接する内面を有する寸法・形状に形成される一方、前記液状材料は、前記被覆電線の端部を収納したときに前記筒状部材の開口端側から漏出する容量を該筒状部材内に収容されており、前記筒状部材は、収納した前記被覆電線の端部が引き抜き方向に移動することを制限する係止手段が設けられていることを特徴とするものである。
【０００８】
この発明では、筒状部材内に被覆電線の端部を差し込むと、その内部の液状材料が筒状部材の開口端側から漏出することを視認することができ、被覆電線の端部の全体が液状材料内に内包されて、露出する導電線の全面が絶縁性を有する液状材料に覆われたことを容易に確認することができる。この筒状部材は、被覆電線の引き抜き方向に移動することが制限されるとともに、その内面が被覆電線の外面に当接・近接していることから、液状材料がその微小な隙間内に存在して自身の表面張力などによりその隙間から流出してしまうことなく、電線端末の導電線を液状材料が覆う状態を維持することができる。
【０００９】
上記課題を解決する電線端末キャップの第２の発明は、上記第１の発明の特定事項に加え、前記筒状部材は、前記係止手段として、前記液状材料の漏出箇所よりも底部から離隔する方向に開口側を延長させて、前記被覆電線の外面に固定可能な係止部が形成されていることを特徴とするものである。
【００１０】
この発明では、筒状部材の被覆電線の外面に固定・係止する位置よりも底側で液状材料が漏出することから、その筒状部材の係止箇所を液状材料で汚染された状態にしてしまうことなく係止させる作業を行うことができ、例えば、その被覆電線の外面にテープ巻きするなどして係止して引き抜き不能に固定することができる。
【００１１】
上記課題を解決する電線端末キャップの第３の発明は、上記第２の発明の特定事項に加え、前記筒状部材は、底部から離隔する開口端の一部を該離隔方向に延長させることにより、該底部に近接する側が前記液状材料の漏出箇所として機能する一方、該底部から離隔する側が前記係止部として機能することを特徴とするものである。
【００１２】
この発明では、筒状部材の開口端の延長部以外の箇所から液状材料が漏出するとともに、その開口端の延長部を、液状材料で汚染されることなく、例えば、その被覆電線の外面にテープ巻きするなどして引き抜き不能に係止・固定することができる。
【００１３】
上記課題を解決する電線端末キャップの第４の発明は、上記第２の発明の特定事項に加え、前記筒状部材は、前記液状材料の漏出箇所として当該筒状部材の筒状側面部に漏出穴が開口することにより、筒状側面部の開口端側が前記係止部として機能することを特徴とするものである。
【００１４】
この発明では、筒状部材の開口端よりも底側の漏出穴から液状材料が漏出することから、その漏出穴よりも開口側に離隔する開口端を、液状材料で汚染されることなく、例えば、その被覆電線の外面にテープ巻きするなどして引き抜き不能に係止・固定することができる。
【００１５】
上記課題を解決する電線端末キャップの取付方法の第１の発明は、導電線の外面が絶縁体で覆われている被覆電線の端部に電線端末キャップを取り付ける取付方法であって、前記被覆電線の端部を収納可能な空間を形成するとともに、該被覆電線の外面に当接または近接する内面を有する有底の筒状部材を準備して、前記筒状部材内に前記被覆電線の端部を収納したときに該筒状部材の開口端側から漏出する程度以上の容量の絶縁性を有する液状材料を収容し、あるいは、前記液状材料の収容されている前記筒状部材を準備して、前記筒状部材内に前記被覆電線の端部を差し込んで該筒状部材の開口端側から前記液状材料を漏出させるのと同時に、あるいは、該液状材料の漏出を確認した後に、前記筒状部材が前記被覆電線の引き抜き方向に移動することを制限することを特徴としている。
【００１６】
この発明でも、筒状部材内に被覆電線の端部を差し込むと、その内部の液状材料が筒状部材の開口端側から漏出することを視認することができ、被覆電線の端部の全体が液状材料内に内包されて、露出する導電線の全面が絶縁性を有する液状材料に覆われたことを容易に確認することができる。この筒状部材は、被覆電線の引き抜き方向に移動することが制限されるとともに、その内面が被覆電線の外面に当接・近接していることから、液状材料がその微小な隙間内に存在して自身の表面張力などによりその隙間から流出してしまうことはなく、導電線を液状材料が覆う状態を維持することができる。
【００１７】
ここで、前記筒状部材の被覆電線の外面に引き抜き不能に係止する手段としては、上記のようにテープ巻きするだけでなく、前記筒状部材の側面部の内面に前記被覆電線の外面に係合可能な係止部を形成してもよく、例えば、その側面部内面に突出する突起を形成するなどしてもよい。
【発明の効果】
【００１８】
このように本発明によれば、筒状部材内に被覆電線の端部を差し込むだけで、特別な作業をすることなく、その筒状部材の開口端側からの液状材料の漏出を視認して、確実に被覆電線の端部が絶縁材料内に液密に覆われた状態にあることを容易に確認することができ、引き抜き不能にその状態を維持することができる。したがって、電線端末の絶縁性を信頼性高く、また、簡易に確保することができる。
【発明を実施するための最良の形態】
【００１９】
以下、本発明の最良の実施形態を図面に基づいて説明する。図１〜図３は本発明に係る取付方法により電線の端部に取り付けることのできる電線端末キャップの第１実施形態を示す図である。
【００２０】
図１において、電線端末キャップ１０は、図２に示す被覆電線１００の端部１００ａに取り付けるものであり、その被覆電線１００の導電線１０１を絶縁被覆（絶縁体）１０２と同様に外部から遮断するように覆うことができる。
【００２１】
この電線端末キャップ１０は、被覆電線１００の端部１００ａを内部に差し込んだ状態に収納可能な内部空間を有する有底の円筒形状に形成されているキャップ本体（筒状部材）１１と、このキャップ本体１１の内部に収容されているジェル状（液状）の絶縁性を有するシリコン材料２１と、を備えている。
【００２２】
キャップ本体１１は、取付対象とする被覆電線１００の外径Ｄよりも大きめの内径Ｄ＋の円筒形状に作製されており、本実施形態では径の異なる小径部１２と大径部１３を同軸に開口するように連設することにより２種の外径の被覆電線１００の端部に取り付け可能に設計されている。
【００２３】
このキャップ本体１１は、小径部１２の一端側開口部１２ａが大径部１３の他端側底部１３ｂに開口することにより、大径部１３の一端側開口部１３ａが大きく開口する一方、小径部１２の他端側底部１２ｂが閉塞されており、この小径部１２と大径部１３は、それぞれ取付対象とする被覆電線１００の外径Ｄ（Ｄ１、Ｄ２）よりも大きめの内径Ｄ＋（Ｄ１＋、Ｄ２＋）に設定されている内筒面１２ｃ、１３ｃを備えている。
【００２４】
これにより、電線端末キャップ１０は、図３（ｃ）に示すように、異なる外径Ｄ１、Ｄ２の被覆電線１００の端部１００ａをキャップ本体１１の大径部１３の開口部１３ａ側から差し込んで収納することができる。このとき、小さめの外径Ｄ１の被覆電線１００では、キャップ本体１１の小径部１２の底部１２ｂにその被覆電線１００の端部１００ａの端面を突き当てさせた状態のときに、その小径部１２の内筒面１２ｃに被覆電線１００の端部１００ａの外周面が当接または近接する状態で対面させることができる。また、同様に、大きめの外径Ｄ２の被覆電線１００では、キャップ本体１１の大径部１３の底部１３ｂにその被覆電線１００の端部１００ａの端面を突き当てさせたときに、その大径部１３の内筒面１３ｃに被覆電線１００の端部１００ａの外周面が当接または近接する状態で対面させることができる。
【００２５】
ここで、本実施形態では、２種の外径Ｄ１、Ｄ２の被覆電線１００の端部に取り付け可能に小径部１２と大径部１３を連設させた構造に設計しているが、これに限るものではなく、１種の外径Ｄの被覆電線１００専用に単純な円筒形状に設計してもよく、また、３種以上の外径Ｄ１〜Ｄｎの被覆電線１００に取り付け可能に径の異なる円筒形状を連設してもよいことは言うまでもない。さらに、本実施形態では、キャップ本体１１の外形も断面円形の円筒形状に形成しているが、これに限るものではなく、内筒面１２ｃ、１３ｃが被覆電線１００の外形の断面形状と相似形状になるように形成すればよく、そのキャップ本体１１の外形は断面円形に限らずに、例えば、多角形や楕円形状などに形成してもよいことは言うまでもない。
【００２６】
シリコン材料２１は、キャップ本体１１内に被覆電線１００の端部１００ａを差し込んだときに形成される小径部１２と大径部１３の内筒面１２ｃ、１３ｃとの間に形成される隙間の空間容量を大きく超える容量をその小径部１２と大径部１３内に充填されており、例えば、図示するように、大径部１３の開口部１３ａの開口端付近まで充填されている。
【００２７】
これにより、電線端末キャップ１０は、被覆電線１００をキャップ本体１１内に差し込んで端部１００ａを収納させたとき、図３（ｃ）に示すように、その被覆電線１００の端部１００ａの外面が収容するシリコン材料２１により確実に覆われた状態にして、そのキャップ本体１１の大径部１３の開口部１３ａから余分なシリコン材料２１をあふれさせることができ、その被覆電線１００の端部１００ａに露出する導電線１０１がシリコン材料２１により確実に覆われた状態になっていることを視認することができる。また、この状態では、シリコン材料２１は、被覆電線１００の端部１００ａとキャップ本体１１の大径部１３や小径部１２の内筒面１２ｃ、１３ｃの間の微小な隙間に存在することにより、自身の粘性や表面張力でその隙間から流出することなく存在する状態を維持することができる。
【００２８】
また、キャップ本体１１は、大径部１３の開口部１３ａの開口端の一部を開口方向に延長させた延長部１４がその中心軸の両側の対称位置に連設されており、この延長部１４の先端側には、大径部１３と同一の曲率で湾曲する円弧部１４ａがその周方向に延長されている。
【００２９】
これにより、電線端末キャップ１０は、被覆電線１００をキャップ本体１１内に差し込んで端部１００ａを収納させることによりあふれるシリコン材料２１を、図３（ｃ）に示すように、そのキャップ本体１１の大径部１３の延長部１４間に位置する開口部１３ａ（漏出箇所）から漏出させることができ、図３（ｄ）に示すように、その延長部１４の円弧部１４ａの全体をテープ巻きして引く抜き方向に移動不能に被覆電線１００の外面に固定することができる。すなわち、このキャップ本体１１の延長部１４が係止部を構成してテープ巻きにより固定する係止手段を構成している。ここで、この延長部１４は、２箇所に限ることなく、例えば、１箇所のみにしてもよく、また、３箇所以上に配設してもよいことは言うまでもない。
【００３０】
次に、この電線端末キャップ１０を被覆電線１００の端部１００ａに取り付ける際の作業方法を図３を用いて説明する。
【００３１】
例えば、埋設されて地中化されている配電線の配電経路を変更する場合に、その配電線の低圧電線を切断して端部をマンホール内に位置させるために絶縁性を確保するときには、図３（ａ）に示すように、その配電線の被覆電線１００の外径Ｄに対応する内径Ｄ＋の小径部１２の内筒面１２ｃ（大径部１３の内筒面１３ｃが内径Ｄ＋でもよい）を有するキャップ本体１１を準備して、図３（ｂ）に示すように、そのキャップ本体１１の大径部１３内までシリコン材料２１を十分に充填し電線端末キャップ１０にする。
【００３２】
ここで、本実施形態では、現場でキャップ本体１１内にシリコン材料２１を充填する場合を一例にして説明するが、これに限ることなく、例えば、予めキャップ本体１１の大径部１３の開口部１３ａまでシリコン材料２１が充填されていてシールなどにより閉塞されている電線端末キャップ１０を準備してもよく、そのシールを剥がして利用するようにすることもできる。
【００３３】
次いで、図３（ｃ）に示すように、その電線端末キャップ１０のキャップ本体１１内に被覆電線１００の端部１００ａを差し込んでシリコン材料２１を大径部１３の延長部１４間の開口部１３ａから漏出させることにより、その被覆電線１００の端部１００ａと内筒面１２ｃ、１３ｃとの間にシリコン材料２１が確実に存在して液密（気密）に覆われた状態にあることを視認することができる。そして、この電線端末キャップ１０の延長部１４の先端側をシリコン材料２１で汚損させることなく、図３（ｄ）に示すように、被覆電線１００の絶縁被覆１０２に延長部１４を押し付ける状態にしつつその先端側の円弧部１４ａの全体を覆う状態になるようにテープ巻きすることができ、その円弧部１４ａが周方向や引抜方向に移動してしまうことがないようにその被覆電線１００の外面に強固に固定・維持することができる。なお、このキャップ本体１１は、延長部１４の全体をテープ巻きしてシリコン材料２１の全体をも外気から遮断するように作業してもよいことは言うまでもない。
【００３４】
したがって、被覆電線１００の端部１００ａをキャップ本体１１内に収納するとともに、その被覆電線１００の端部１００ａの全体をキャップ本体１１内でシリコン材料２１により液密に覆うことができ、仮に、雨水などの溜まるマンホール内に放置されたとしても、その被覆電線１００の導電線１０１まで雨水などが浸入してしまうことを信頼性高く回避して絶縁性を確保することができる。
【００３５】
このように本実施形態においては、キャップ本体１１内に被覆電線１００の端部１００ａを差し込んで延長部１４間からのシリコン材料２１の漏出を視認するだけで、その導電線１０１が絶縁被覆１０２と共に絶縁材料内に覆われて確実に絶縁状態に保持されていることを容易に確認することができ、そのキャップ本体１１の大径部１３から延長されている延長部１４の円弧部１４ａをテープ巻きすることにより引き抜き不能に強固に固定・維持することができる。したがって、簡易に被覆電線１００の端部１００ａの絶縁性を信頼性高く確保することができる。
【００３６】
次に、図４および図５は本発明に係る取付方法により電線の端部に取り付けることのできる電線端末キャップの第２実施形態を示す図である。ここで、本実施形態は上述第１実施形態と同様に構成されていることから、同様な構成には同一の符号を付して特徴部分を説明する（以下で説明する他の実施形態においても同様）。
【００３７】
図４において、電線端末キャップ３０は、上述第１実施形態と同様に、キャップ本体３１と、シリコン材料２１と、を備えることにより、被覆電線１００の端部１００ａを差し込んで収納する状態に取り付けるように設計されており、そのキャップ本体３１は、大径部１３の開口部１３ａの開口端の全周を開口方向に延長させた延長部３４が連設されている。
【００３８】
この延長部３４には、大径部１３の開口部１３ａの近傍から延長方向に延在する長穴３４ａが開口されており、この長穴３４ａは、その延長部３４の周方向の複数箇所で開口するように並列されている。
【００３９】
これにより、電線端末キャップ３０は、図５（ｃ）に示すように、被覆電線１００をキャップ本体３１内に差し込んで端部１００ａを収納させたとき、そのキャップ本体３１の大径部１３の開口部１３ａからあふれるシリコン材料２１を延長部３４の長穴３４ａから漏出させることができ、その被覆電線１００の端部１００ａの外面が収容するシリコン材料２１により確実に覆われた状態になっていることを視認することができるとともに、図５（ｄ）に示すように、その延長部３４の開口端側をテープ巻きして引く抜き方向に移動不能に被覆電線１００の外面に固定することを可能にしている。すなわち、この延長部３４が、係止部を構成してテープ巻きにより固定する係止手段を構成している。ここで、長穴３４ａは、長穴形状に代えて、円形に開口させてもよいが、長穴にすることにより漏出させるシリコン材料２１で一杯になって延長部３４の開口端部側まで行って漏出してしまうことをなくすように設定することができ、本実施形態のように長穴形状に形成する方が好ましい。
【００４０】
次に、この電線端末キャップ３０を被覆電線１００の端部１００ａに取り付ける際の作業方法を図５を用いて説明する。
【００４１】
上述第１実施形態と同様に、切断した被覆電線１００の端部１００ａの絶縁性を確保する場合には、図５（ａ）と図５（ｂ）に示すように、キャップ本体３１を準備して大径部１３内までシリコン材料２１を十分に充填し電線端末キャップ３０にした後に、図５（ｃ）に示すように、その電線端末キャップ３０のキャップ本体３１内に延長部３４の開口側から被覆電線１００の端部１００ａを差し込んでシリコン材料２１をその延長部３４の長穴３４ａから漏出させることにより、その被覆電線１００の端部１００ａと内筒面１２ｃ、１３ｃとの間にシリコン材料２１が確実に存在して液密に覆われた状態にあることを視認することができる。そして、この電線端末キャップ３０の延長部３４の先端側をシリコン材料２１で汚損させることなく、図５（ｄ）に示すように、被覆電線１００の絶縁被覆１０２にテープ巻きして周方向や引抜方向に移動してしまうことがないようにその被覆電線１００の外面に強固に固定・維持することができる。
【００４２】
このように本実施形態においては、上述第１実施形態と同様に、キャップ本体３１内に被覆電線１００の端部１００ａを差し込んで延長部３４の長穴３４ａからのシリコン材料２１の漏出を視認するだけで、その導電線１０１が絶縁被覆１０２と共に絶縁材料内に覆われて確実に絶縁状態に保持されていることを容易に確認することができ、そのキャップ本体３１の大径部１３から延長されている延長部３４をテープ巻きすることにより引き抜き不能に強固に固定・維持することができる。したがって、簡易に被覆電線１００の端部１００ａの絶縁性を信頼性高く確保することができる。
【００４３】
次に、図６および図７は本発明に係る取付方法により電線の端部に取り付けることのできる電線端末キャップの第３実施形態を示す図である。
【００４４】
図６において、電線端末キャップ４０は、上述第１実施形態と同様に、キャップ本体４１と、シリコン材料２１と、を備えることにより、被覆電線１００の端部１００ａを差し込んで収納する状態に取り付けるように設計されており、そのキャップ本体４１は、延長部１４に代えて、小径部１２と大径部１３の内筒面１２ｃ、１３ｃに複数個の突起４４が周方向に並列されている。
【００４５】
これにより、電線端末キャップ４０は、図７（ｃ）に示すように、被覆電線１００をキャップ本体４１内に差し込んで端部１００ａを収納させたとき、そのキャップ本体４１の大径部１３の開口部１３ａの開口端からあふれるシリコン材料２１をそのまま漏出させてその被覆電線１００の端部１００ａの外面が収容するシリコン材料２１により確実に覆われた状態になっていることを視認することができるとともに、図７（ｄ）に示すように、そのキャップ本体４１の小径部１２や大径部１３の内筒面１２ｃ、１３ｃの突起４４が被覆電線１００の絶縁被覆１０２に食い込んで引く抜き方向に容易に移動してしまうことを制限・固定している。すなわち、この突起４４が、係止手段を構成している。
【００４６】
次に、この電線端末キャップ４０を被覆電線１００の端部１００ａに取り付ける際の作業方法を図７を用いて説明する。
【００４７】
上述第１実施形態と同様に、切断した被覆電線１００の端部１００ａの絶縁性を確保する場合には、図７（ａ）と図７（ｂ）に示すように、キャップ本体４１を準備して大径部１３内までシリコン材料２１を十分に充填し電線端末キャップ４０にした後に、図７（ｃ）に示すように、その電線端末キャップ４０のキャップ本体４１内に大径部１３の開口部１３ａ側から被覆電線１００の端部１００ａを差し込んでシリコン材料２１をその開口部１３ａの開口端から漏出させることにより、その被覆電線１００の端部１００ａと内筒面１２ｃ、１３ｃとの間にシリコン材料２１が確実に存在して液密に覆われた状態にあることを視認することができる。また、同時に、図７（ｄ）に示すように、その被覆電線１００の絶縁被覆１０２に突起４４を食い込ませて周方向や引抜方向に移動してしまうことがないように外面に固定・維持することができる。
【００４８】
このように本実施形態においては、上述第１実施形態と同様に、キャップ本体４１内に被覆電線１００の端部１００ａを差し込んで大径部１３の開口部１３ａからのシリコン材料２１の漏出を視認するだけで、その導電線１０１が絶縁被覆１０２と共に絶縁材料内に覆われて確実に絶縁状態に保持されていることを容易に確認することができるのと同時に、テープ巻きなどすることなく、そのキャップ本体４１の内筒面１２ｃ、１３ｃに形成されている突起４４により引き抜き不能に固定・維持することができる。したがって、簡易に被覆電線１００の端部１００ａの絶縁性を信頼性高く確保することができる。
【産業上の利用可能性】
【００４９】
これまで本発明の一実施形態について説明したが、本発明は上述の実施形態に限定されず、その技術的思想の範囲内において種々異なる形態にて実施されてよいことは言うまでもない。
【図面の簡単な説明】
【００５０】
【図１】本発明に係る取付方法により電線の端部に取り付けることのできる電線端末キャップの第１実施形態を示す図であり、（ａ）はその立面正面図、（ｂ）はその開口側から見た上面図である。
【図２】その電線端末キャップを取り付ける電線端部の構造を示す図であり、（ａ）はその延在方向側面から見た側面図、（ｂ）はその端面側から見た正面図である。
【図３】その取付方法を説明する各工程における状態を示す立面正面図である。
【図４】本発明に係る取付方法により電線の端部に取り付けることのできる電線端末キャップの第２実施形態を示す図であり、（ａ）はその立面正面図、（ｂ）はその開口側から見た上面図である。
【図５】その取付方法を説明する各工程における状態を示す立面正面図である。
【図６】本発明に係る取付方法により電線の端部に取り付けることのできる電線端末キャップの第３実施形態を示す図であり、（ａ）はその立面正面図、（ｂ）はその開口側から見た上面図である。
【図７】その取付方法を説明する各工程における状態を示す立面正面図である。
【符号の説明】
【００５１】
１０、３０、４０……電線端末キャップ    １１、３１、４１……キャップ本体    １２……小径部    １３……大径部    １４、３４……延長部    ２１……シリコン材料    ３４ａ……長穴    ４４……突起    １００……被覆電線    １００ａ……端部    １０１……導電線    １０２……絶縁被覆
【図１】
2009278715.tif 000003
【図２】
2009278715.tif 000004
【図３】
2009278715.tif 000005
【図４】
2009278715.tif 000006
【図５】
2009278715.tif 000007
【図６】
2009278715.tif 000008
【図７】
2009278715.tif 000009